(57)【特許請求の範囲】
【請求項１】
枠状の固定部と、
前記固定部の枠内に配置され、駆動系及び検出系の振動腕を備えた素子部と、
前記固定部に両端が連結された両持ち梁状に形成され、梁の途中において前記素子部に連結されており、かつ、前記素子部の両外側に配置された連結部と、
を有し、
前記素子部は、前記振動腕として、前記連結部に両端が固定された伝達腕と、前記伝達腕に連結された片持ち梁状の駆動腕と、前記駆動腕とは異なる位置において前記伝達腕に連結された片持ち梁状の検出腕と、を備える、
角速度センサ素子。
【請求項２】
前記連結部の幅は、前記素子部の前記振動腕の幅より小さい、
請求項１記載の角速度センサ素子。
【請求項３】
前記素子部の前記振動腕、前記固定部、及び前記連結部は、一体的に形成されている、
請求項１記載の角速度センサ素子。
【請求項４】
前記連結部は、伝達腕から鉛直方向に直線状に延びる両持ち梁状である、
請求項１〜３のいずれか１項記載の角速度センサ素子。
【請求項５】
前記固定部は、前記伝達腕、前記駆動腕、及び前記検出腕、並びに前記連結部に対して所定の間隔を設けて配置されている、
請求項１〜４のいずれか１項記載の角速度センサ素子。
【請求項６】
前記連結部の両端が、前記枠状の前記固定部のうち前記伝達腕と平行に延在する一対の側辺に連結されている、
請求項１〜５のいずれか１項記載の角速度センサ素子。
【発明の詳細な説明】
【技術分野】
【０００１】
本発明は、物体の角速度を検出する角速度センサ素子に関する。
【背景技術】
【０００２】
従来から、角速度センサ素子は、船舶、航空機、ロケット等の姿勢を自律制御する技術に使用されているが、最近では、カーナビゲーションシステム、デジタルカメラ、ビデオカメラ、携帯電話等の小型の電子機器にも搭載されるようになってきた。それに伴い、角速度センサ素子の更なる小型化、及び低背化（薄型化）が要請されている。
【０００３】
これに対し、振動型角速度センサの振動腕を、圧電材料の機械加工によって切削・成形して作製することが広く行なわれているが、その機械加工精度には自ずと限界があり、上述したような更なる小型化及び低背化という要求に応えることは困難であった。
【０００４】
そこで、角速度センサの更なる小型化及び低背化を企図して、単結晶薄板を微細加工することにより振動腕を形成する技術が提案されている。例えば、特許文献１の図２１には、振動腕を備える素子と、当該素子に固定された枠状の固定部とを備えた角速度センサ素子が開示されている。
【特許文献１】特開平１１−７２３３４号公報
【発明の開示】
【発明が解決しようとする課題】
【０００５】
しかしながら、このような角速度センサ素子に外部から突発的な衝撃が与えられた場合には、この衝撃に起因する振動が固定部から素子部へと伝達され、素子部の検出系の振動腕によりノイズとして検出されるという問題があった。
【０００６】
そこで、本発明は上記の事情に鑑みてなされたものであり、その目的は、外部から突発的な振動が与えられた場合であっても、その振動を吸収して、素子部への振動の伝達を防止することができる角速度センサ素子を提供することにある。
【課題を解決するための手段】
【０００７】
上記の目的を達成するため、本発明の角速度センサ素子は、枠状の固定部と、固定部の枠内に配置され、駆動系及び検出系の振動腕を備えた素子部と、固定部に両端が連結された両持ち梁状に形成され、梁の途中において素子部に連結された連結部と、を有する。
【０００８】
このような構成では、外部から衝撃が与えられると、両持ち梁状の連結部が振動吸収材として機能することから、このような衝撃に起因する振動が緩和又はフィルタリングされる。すなわち、外部から与えられた振動のうち、この両持ち梁の振動周波数に対応した振動成分のみが両持ち梁の振動を介して素子部へ伝達される。したがって、外部からの振動のうち、素子部へ伝達されるものは極一部となる。ここで、素子部における駆動系及び検出系の共振周波数と、両持ち梁状の連結部の振動周波数が異なっていれば、連結部を介して伝達された振動が、駆動系及び検出系の振動腕の振動を誘起させることはないことから、ノイズとして検出されることが防止される。
【０００９】
好ましくは、連結部の幅は、素子部の振動腕の幅より小さい。共振周波数は、梁又は腕の幅に影響される。したがって、連結部の両持ち梁の幅が、素子部の振動腕の幅よりも小さいことにより、素子部の振動腕の共振周波数と、連結部の両持ち梁の振動周波数が異なることとなり、連結部の振動が素子部の振動腕へ伝達されることが防止される。
【００１０】
例えば、素子部の振動腕、固定部、及び連結部は、一体的に形成されている。このように、一枚の部材を加工して素子部及び固定部が形成されることにより、角速度センサ素子の低背化が達成される。
【００１１】
さらに、上記の目的を達成するため、本発明の角速度センサ素子は、枠状の固定部と、固定部の枠内に配置され、駆動系及び検出系の振動腕を備えた素子部と、固定部及び素子部の材料に比べて弾性率が低い材料により形成され、固定部及び素子部を連結する連結部と、を有する。
【００１２】
このような構成では、外部から衝撃が与えられると、固定部及び素子部に比べて弾性率が低い材料からなる連結部が衝撃吸収材として機能し、このような衝撃に起因する振動が吸収される。弾性率は、力を与えられたときに物体が変化した際における、歪と力の割合（弾性率＝力／歪）で求められる。すなわち、弾性率が低ければ、それだけ力に対して変形しやすいといえる。したがって、外部からの振動エネルギーが連結部の変形エネルギーに変換されることにより、外部からの振動が吸収される。この結果、素子部への振動の伝達が防止され、ノイズとして検出されることが防止される。
【００１３】
例えば、素子部は、連結部に両端が固定された伝達腕と、伝達腕に連結された片持ち梁状の駆動腕と、駆動腕とは異なる位置において伝達腕に連結された片持ち梁状の検出腕と、を備える。また、例えば、連結部は、伝達腕から鉛直方向に直線状に延びる両持ち梁状である。
【発明の効果】
【００１４】
本発明によれば、素子部と固定部との間に振動吸収材として機能する連結部を備えるので、外部から突発的な振動が与えられた場合であっても、連結部によりその振動を緩和ないし吸収することができ、素子部への振動の伝達を防止することができる。
【発明を実施するための最良の形態】
【００１５】
以下、本発明の実施の形態について、図面を参照して説明する。なお、図面中、同一の要素には同一の符号を付し、重複する説明を省略する。また、上下左右などの位置関係は、特に断らない限り、図面に示す位置関係に基づくものとする。さらに、図面の寸法比率は、図示の比率に限定されるものではない。また、以下の実施の形態は、本発明を説明するための例示であり、本発明をその実施の形態のみに限定する趣旨ではない。さらに、本発明は、その要旨を逸脱しない限り、さまざまな変形が可能である。
【００１６】
＜第１実施形態＞
図１は第１実施形態に係る角速度センサ装置１の内部構成を分解して表す斜視図であり、図２は角速度センサ装置１のII―II線断面図である。
【００１７】
この角速度センサ装置１は、互いに重ね合わされたケース４および上蓋部５により形成される内部空間Ｇ（図２参照）に角速度センサ素子２および集積回路素子３を配置したものである。
【００１８】
角速度センサ素子２は、後述するように、角速度センサ素子２の各駆動腕に設けられた各圧電素子に駆動信号を送信するとともに、角速度センサ素子２の各検出腕に設けられた各圧電素から出力される検出信号を受信するためのものである。ケース４は、例えば複数のセラミック薄板を積層して形成されており、角速度センサ素子２および集積回路素子３を収容することの可能な階段状の窪みを有している。また、上蓋部５は、例えばケース４と同様のセラミック材料により形成されている。
【００１９】
図１に示したように、ケース４の窪みの最も深いところに環状の集積回路支持部４１が形成されており、この集積回路支持部４１上に集積回路素子３が配置されている。また、この集積回路支持部４１の周囲であって、かつ集積回路支持部４１よりも浅いところに環状のセンサ素子支持部４２が形成されており、このセンサ素子支持部４２上に角速度センサ素子２が配置されている。また、このセンサ素子支持部４２の周囲には、窪みの外縁をなす環状の上蓋部支持部４３が形成されており、この上蓋部支持部４３と上蓋部５とがケース４の窪みを外部から密閉し、内部空間Ｇ（図２参照）を形成するように互いに重ね合わされている。
【００２０】
角速度センサ素子２は、図１および図２に示したように、ケース４のセンサ素子支持部４２を含む面と平行な面内に沿って形成されたものである。つまり、この角速度センサ素子２は、いわゆる横置き型の素子である。
【００２１】
図３は角速度センサ素子２の上面構成の一例を示す平面図である。
この角速度センサ素子２は、枠状の固定部２１と、固定部２１の枠内に配置され、伝達腕２２、駆動腕２３及び検出腕２４（駆動系及び検出系の振動腕）を備えた素子部２０と、素子部２０の両側に配置され、固定部２１と素子部２０とを連結する一対の連結腕２５（連結部）とを備えている。
【００２２】
固定部２１は、伝達腕２２、駆動腕２３および検出腕２４からなる振動腕に対して所定のクリアランス（間隔）を空けた枠状に加工されている。また、固定部２１の底部は、ケース４のセンサ素子支持部４２の上面と接している。好ましくは、固定部２１の底部の少なくとも一部は、センサ素子支持部４２に接着剤等を用いて固定されている。
【００２３】
この固定部２１の目的は、素子部２０を固定部２１の枠内に固定することと、伝達腕２２、駆動腕２３および検出腕２４からなる振動腕の振動範囲を制限することにある。この目的のため、固定部２１は、伝達腕２２、駆動腕２３および検出腕２４に対して均一な間隔を空けて配置されていることが好ましい。また、図１及び図３に示す通り、枠状の固定部と素子部は、同一基板をエッチング工法により一体に形成されることが好ましい。
【００２４】
連結腕２５は、固定部２１に両端が連結された両持ち梁状に形成され、梁の途中において素子部２０に連結されている。より詳細には、連結腕２５は、固定部２１に両端が連結された直線状の梁からなり、梁の中間位置において伝達腕２２に連結されている。また、連結腕２５の両端を除いて、固定部２１と連結腕２５との間には、所定のクリアランスが設けられている。
【００２５】
この連結腕２５は、外部からの振動を緩和又はフィルタリングする振動吸収材として機能する。ここで、好ましくは、連結腕２５の振動周波数を素子部２０の振動腕（伝達腕２２、駆動腕２３及び検出腕２４）の共振周波数と異ならせることが好ましい。さらに好ましくは、連結腕２５の振動周波数を素子部２０の共振周波数よりも低くすることが好ましい。共振周波数を低くすることにより、外部の振動に対する連結腕２５の感度を上げることができ、振動を有効に吸収することができるからである。この振動周波数は、連結腕２５の幅や長さにより調整可能である。例えば、連結腕２５の幅を細くすれば振動周波数は低くなり、連結腕２５を長くすればその振動周波数は低くなる。図３では、連結腕２５の幅を、素子部２０の振動腕の幅よりも細くした例を示している。なお、一般に片持ち梁と両持ち梁は長さ及び幅が同じであっても共振周波数が異なる。したがって、連結腕２５の寸法が駆動腕２３及び検出腕２４と同じであったとしても、連結腕２５の振動周波数を、駆動腕２３及び検出腕２４の共振周波数とは異ならせることができる。
【００２６】
伝達腕２２は、２つの連結腕２５にその両端が連結されている。このため、伝達腕２２は、連結腕２５がねじれることにより、その端部を固定端として、上下方向（伝達腕２２の延在方向と直交する方向）に振動することが可能となっている。
【００２７】
駆動腕２３は、伝達腕２２にその一端が連結された片持ち梁からなる。本例では、合計４つの駆動腕２３が、伝達腕２２に連結されている。伝達腕２２の一の点に２つの駆動腕２３が連結され、伝達腕２２の他の点に残りの２つの駆動腕２３が連結されている。駆動腕２３が連結される伝達腕２２上の２点は、伝達腕２２の長さを４等分した場合において、中心点の両隣の２点に相当する。伝達腕２２の一の点または他の点から延びる２つの駆動腕２３は、伝達腕２２を基準線として線対称となっている。このように、各駆動腕２３は、その一端のみが伝達腕２２に連結され、他端が自由端となっている。駆動腕２３は、自由端となっている端部を左右方向（伝達腕２２の延在方向と平行な方向）に振動させることが可能となっている。
【００２８】
検出腕２４は、伝達腕２２にその一端が連結された片持ち梁からなる。本例では、合計２つの検出腕２４が伝達腕２２に連結されている。本例では、伝達腕２２の長さを２等分する中心点に、２つの検出腕２４が連結されている。これら２つの検出腕２４は、伝達腕２２を基準線として線対称となっている。検出腕２４は、自由端となっている端部を左右方向に振動させることが可能となっている。
【００２９】
ここで、角速度センサ素子２は、一体的に形成されており、たとえば、シリコンからなる。この角速度センサ素子２は、例えば、シリコン基板のうち角速度センサ素子２として残す部位以外の部位を物理的又は化学的にエッチング等して除去することにより、一括形成することが可能である。このように形成された角速度センサ素子２は、低背化の要求に応えたものとなる。
【００３０】
各駆動腕２３および各検出腕２４の表面には、それぞれ一対の圧電素子が配置されている。図４は、圧電素子の配置を説明するための、角速度センサ素子２の要部を示す図である。図４では、固定部２１及び連結腕２５を省略している。
【００３１】
図４に示すように、各駆動腕２３の表面には、駆動腕２３の延在方向と平行な方向を長手方向とする一対の圧電素子３０ａ，３０ｂが形成されている。一対の圧電素子３０ａ，３０ｂは、駆動腕２３を角速度センサ素子２を含む面と平行な面に沿って振動させるためのものであり、各駆動腕２３の延在方向と交差する方向に配列されていることが好ましい。また、圧電素子３０ａ，３０ｂは、駆動腕２３が最も大きく歪む箇所に配置されていることが好ましく、例えば、図４に示すように、駆動腕２３の伝達腕２２に対する連結部分の近傍に形成されていることが好ましい。
【００３２】
同様に、各検出腕２４の表面には、検出腕２４の延在方向と平行な方向を長手方向とする一対の圧電素子３０ａ，３０ｂが形成されている。一対の圧電素子３０ａ，３０ｂは、検出腕２４が角速度センサ素子２を含む面と平行な面に沿って振動したときに、その振動を検出するためのものであり、検出腕２４の延在方向と交差する方向に配列されていることが好ましい。また、圧電素子３０ａ，３０ｂは、検出腕２４が最も大きく歪む箇所に配置されていることが好ましく、例えば、図４に示すように、検出腕２４の伝達腕２２に対する連結部分の近傍に形成されていることが好ましい。
【００３３】
図５は、図４のV−V線断面図である。
図５に示すように、圧電素子３０ａ，３０ｂは、駆動腕２３および検出腕２４上に、絶縁層３１と、下部電極３２と、圧電体３３と、上部電極３４とをこの順に積層して形成されたものである。図４に示すように、各圧電素子３０ａと各圧電素子３０ｂとは、互いに別体に形成されている。
【００３４】
絶縁層３１は、例えばＺｒＯ2膜およびＹ2Ｏ3膜をこの順に積層して形成されている。下部電極３２は、例えばＰｔ（１００）配向膜からなる。圧電体３３は、例えばチタン酸ジルコン酸鉛（ＰＺＴ）を含んで形成されている。また、上部電極３４は、例えばＰｔ（１００）配向膜からなる。
【００３５】
次に、上記の角速度センサ素子２の動作について説明する。図６〜図８は、伝達腕２２、駆動腕２３および検出腕２４の動作を模式的に説明するための平面図である。図６〜図８においては、振動形態をわかりやすく表現するために、各振動腕は簡略化して線で表している。また、各動作について、説明に不要な振動腕は省略している。
【００３６】
図６は、駆動振動を説明する図である。駆動振動は、駆動腕２３の矢印Ａで示す屈曲振動であって、実線で示す振動姿態と、点線で示す振動姿態を所定の周波数で繰り返している。このとき、２本の検出腕２４を中心線として、その両側の一対の駆動腕２３が線対称の振動を行なっているので、伝達腕２２および検出腕２４はほとんど振動しない。
【００３７】
駆動腕２３が図６に示した駆動振動を行なっている状態で、角速度センサ素子２を含む面と直交する方向を回転軸とする回転角速度ωが加わったとき、駆動腕２３に矢印Ｂで示すコリオリ力が働く。コリオリ力は、検出腕２４を基準線とした両側の一対の駆動腕２３にそれぞれ反対向きに働く。
【００３８】
この結果、図７に示すように、伝達腕２２のＳ字屈曲振動が誘起される。伝達腕２２の屈曲振動は、伝達腕２２の中心部および両端部を節とし、駆動腕２３の連結部を腹とする振動である。
【００３９】
この伝達腕２２の屈曲振動が検出腕２４に伝達されると、図８に示すように、検出腕２４の検出振動が誘起される。検出腕２４の検出振動は、矢印Ｃで示す屈曲振動であって、実線で示す振動姿態と、点線で示す振動姿態を所定の周波数で繰り返している。このときの検出腕２４の振動に応じた検出信号を圧電素子３０ａ，３０ｂから取り出すことにより、回転角速度が検出される。
【００４０】
ところで、この角速度センサ素子２に対して外部から衝撃が与えられると、この衝撃に起因する振動が固定部２１を介して連結腕２５に伝達される。本実施形態では、両持ち梁状の連結腕２５が振動吸収材として機能することから、固定部２１から素子部２０へと伝達する振動が緩和又はフィルタリングされる。すなわち、外部から与えられた振動のうち、この連結腕２５の振動周波数に対応した振動成分のみが連結腕２５の振動を介して素子部２０へ伝達される。したがって、外部からの振動のうち、素子部２０へ伝達されるものは極一部となる。ここで、素子部２０における駆動腕２３及び検出腕２４の振動周波数と、両持ち梁状の連結腕２５の共振周波数が異なっていれば、連結腕２５を介して伝達された振動が、駆動腕２３及び検出腕２４の振動を誘起することはないことから、ノイズとして検出されることが防止される。
【００４１】
以上説明したように、本実施形態に係る角速度センサ素子２では、外部からの衝撃に起因する振動は、上述した作用で連結腕２５により吸収されることから、この外部振動に起因する検出腕２４の振動を防止することができる。この結果、外部からの振動が、ノイズとして検出されることが防止され、角速度センサ素子２の精度を高めることができる。
【００４２】
ここで、連結腕２５の幅を素子部２０の振動腕、特に検出腕２４の幅よりも小さくすることが好ましい。これにより、検出腕２４の共振周波数と連結腕２５の振動周波数を有意に異ならせることができることから、外部からの振動を緩和又は吸収する際に連結腕２５が振動しても、この連結腕２５の振動により素子部２０の検出腕２４の振動が誘起されることはない。
【００４３】
＜第２実施形態＞
第２実施形態に係る角速度センサ素子２は、連結腕２５の形状以外は、第１実施形態と同様である。図９は、第２実施形態に係る角速度センサ素子２ａの構成を示す上面図である。
【００４４】
図９に示すように、本実施形態では、連結腕２５は、伝達腕２２と固定部２１との間において屈曲した構造を有する。このような連結腕２５によっても、第１実施形態と同様に、外部から突発的な振動を緩和ないし吸収することができ、素子部への振動の伝達を防止することができる。
【００４５】
＜第３実施形態＞
第３実施形態に係る角速度センサ素子２ｂは、連結腕２５の代わりに、固定部２１及び素子部２０とは異なる材料からなる接着剤２６を用いた以外は、第１実施形態と同様である。図１０は第３実施形態に係る角速度センサ素子２ｂの構成を示す上面図であり、図１１は図１０のXI-XI線断面図である。
【００４６】
図１０に示すように、固定部２１と伝達腕２２との間には、両者を接着する接着剤（連結部）２６が設けられている。この接着剤２６として、固定部２１及び素子部２０の材料に比べて弾性率が低い材料が用いられる。接着剤２６としては、弾性率の条件を満たせば、絶縁性の樹脂であっても、はんだ等の金属であってもよい。固定部２１及び伝達腕２２上には、圧電素子に接続する不図示の配線が形成されることから、接着剤２６として金属を用いる場合には、配線を被覆する絶縁膜を形成した後に、金属を形成することが好ましい。接着剤２６として、樹脂を用いる場合には、例えば、エポキシ樹脂、ポリイミド樹脂、フェノール樹脂、不飽和ポリエステル樹脂、ユリア樹脂、メラミン樹脂、ジアリルフタレート樹脂などを好適に用いることができる。接着剤２６として金属材料を用いる場合には、錫、銀、金、鉛、亜鉛、アルミニウム、カドミウム、はんだ（錫−亜鉛合金）などを１種又は２種以上含む材料を好適に用いることができる。特に、はんだ材料が好ましい。
【００４７】
図１１に示すように、第１実施形態と異なり固定部２１及び伝達腕２２は分離形成されており、両者は接着剤２６を介して連結されている。図１１では、角速度センサ素子２の一方面上にのみ接着剤２６が形成されている例を示している。このような構造は、シリコン基板の一方面上の所定位置に接着剤２６を形成した後に、シリコン基板の他方面側からエッチングして素子部２０及び固定部２１の形状に加工することにより形成される。なお、図１１において、固定部２１と伝達腕２２の間の領域を埋めるように接着剤２６を形成してもよい。
【００４８】
この接着剤２６は、固定部２１及び素子部２０の材料に比べて弾性率が低い材料からなるため、外部からの振動を吸収する振動吸収材として機能する。弾性率は、力を与えられたときに物体が変化した際における、歪と力の割合（弾性率＝力／歪）で求められる。すなわち、弾性率が低ければ、それだけ力に対して変形しやすいといえる。したがって、外部からの振動エネルギーが接着剤２６の変形エネルギーに変換されることにより、外部からの振動が吸収される。この結果、素子部２０への振動の伝達が防止され、ノイズとして検出されることが防止される。
【００４９】
以上説明したように、第２実施形態に係る角速度センサ素子２ｂでは、外部からの衝撃に起因する振動は、上述した作用で接着剤２６により吸収されることから、この外部振動に起因する検出腕２４の振動を防止することができる。この結果、外部からの振動が、ノイズとして検出されることが防止され、角速度センサ素子２ｂの精度を高めることができる。
【００５０】
なお、上述したとおり、本発明は、上記の各実施形態に限定されるものではなく、本発明の要旨を逸脱しない範囲で、種々の変更が可能である。例えば、素子部２０を構成する伝達腕２２、駆動腕２３及び検出腕２４の配置および形状に限定はなく、角速度の検出原理にも限定はない。また、駆動腕２３及び検出腕２４への圧電素子の配置や構成に限定はない。
【産業上の利用可能性】
【００５１】
本発明の角速度センサ素子は、角速度の検知が必要なあらゆる装置および機器に搭載することができ、例えば、ビデオカメラの手振れ検知や、バーチャルリアリティ装置における動作検知や、カーナビゲーションシステムにおける方向検知などに利用することができる。
【図面の簡単な説明】
【００５２】
【図１】第１実施形態に係る角度速度センサ装置の分解斜視図である。
【図２】図１のII−II線断面図である。
【図３】図１の角速度センサ素子の構成を示す上面図である。
【図４】圧電素子の配置を示すための角速度センサ素子の拡大図である。
【図５】図４のV−V線断面図である。
【図６】駆動腕２３の駆動振動を示す図である。
【図７】伝達腕２２の屈曲振動を示す図である。
【図８】検出腕２４の検出振動を示す図である。
【図９】第２実施形態に係る角速度センサ素子２ａの構成を示す上面図である。
【図１０】第３実施形態に係る角速度センサ素子２ｂの構成を示す上面図である。
【図１１】図１０のXI-XI線断面図である。
【符号の説明】
【００５３】
１…角速度センサ装置、２，２ａ，２ｂ…角速度センサ素子、３…集積回路素子、４…ケース、５…上蓋部、２０…素子部、２１…固定部、２２…伝達腕、２３…駆動腕、２４…検出腕、２５…連結腕、２６…接着剤、３０ａ，３０ｂ…圧電素子、３１…絶縁層、３２…下部電極、３３…圧電体、３４…上部電極、４１…集積回路支持部、４２…センサ素子支持部、４３…上蓋部支持部、Ｇ…内部空間。
【図１】
0005294143.tif 000002
【図２】
0005294143.tif 000003
【図３】
0005294143.tif 000004
【図４】
0005294143.tif 000005
【図５】
0005294143.tif 000006
【図６】
0005294143.tif 000007
【図７】
0005294143.tif 000008
【図８】
0005294143.tif 000009
【図９】
0005294143.tif 000010
【図１０】
0005294143.tif 000011
【図１１】
0005294143.tif 000012